(57)【要約】【課題】少ない密封水でも通液口の密封が維持されて、２室の増減圧を確実に起させるため、固体と液体の分離を効率よく行わせることができる傾斜式サクションスクリーンを提供すること。【解決手段】筐体２の上部に傾斜スクリーン３張設して固液混合体を流下させ、仕切壁４で仕切られる室５と室６には、上記仕切壁４に設けた可動部７の往復動により交互的に増減圧を起させ、室５と室６の減圧時に混合体より液体を搾出させ、増圧時に混合体に通気させるようにした傾斜式サクションスクリーン１において、上記筐体２の下部に通液口８を密封するように密封水１０を溜め、この密封水１０の表面を搾出される液体の取入部１１，１３を除いて遮蔽板１２、１４により遮蔽させ、室５、室６におこる増減圧をこの遮蔽板１２、１４に受けさせて、密封水１０の遮蔽される部分には作用させないようにしたこと。【選択図】  図１
2005066430.tif 000002
【特許請求の範囲】
【請求項１】
筐体の上部に傾斜スクリーンを張設して固液混合体を流下させ、仕切壁で仕切られる２室に、仕切壁に設けた可動部の往復運動によって交番的な増減圧を起させ、
室の減圧時に固液混合体から液体を搾出させ、増圧時に固液混合体に通気させるようにした傾斜式サクションスクリーンにおいて、
上記筐体の下部に通液口を密封するように密封水を溜め、この密封水の表面を搾出される液体の取入部を除いて遮蔽板により遮蔽させ、
室に起る増減圧をこの遮蔽板に受けさせて、密封水の遮蔽される部分には作用させないようにした
ことを特徴とする傾斜式サクションスクリーン。
【発明の詳細な説明】
【技術分野】
【０００１】
本発明は、固液混合体を液体と固体に分離する傾斜式サクションスクリーンに関する。
【背景技術】
【０００２】
従来、固液混合体を固体と液体に分離する簡易バキュームフイルターは、筐体の上部に傾斜スクリーンを張設して固液混合体を流下させ、仕切壁で仕切られた２室には、上記仕切壁に設けたダイヤフラムダイヤの往復運動により交互的な増減圧を起させ、室の減圧時に固液混合体より液体を搾出させ、増圧時に固液混合体へ通気させるようにするとともに
、上記筐体の下部に通液口を密封するように密封水を溜めるようにしている。（例えば、特許文献1参照）
【特許文献１】実公平１−１３５２５号公報（第２頁、第１図）
【０００３】
しかしながら、上記簡易バキュームバキフイルターは、筐体の下部に通液口を密封するように溜めた密封水の全表面が空気と接触している。このため、ダイアフラムの往復運動で筐体内の２室に交番的な増減圧が起るとき、空気圧と密封水の表面積との積値となる密封水への作用力が大きくて、密封水の量が少いと水の重量よりも作用力が大きくなって、密封水を通液口を通して増圧側から減圧側へ移動させ、これに伴われて空気も同様に移動するため、２室に起る増減圧での圧力変動の値が減少して、スクリーン機能を著しく低下させる。そこで、密封水をダイアフラムの下部が漬かる程度に増して機能の保持を図れば
、密封水の増加分だけ２室の容積が減少するため作動効率が悪くなって、ダイアフラムの一部は水中で作動することになって、変則的で過大な負荷を受けるため損傷し易い問題点がある。
【発明の開示】
【発明が解決しようとする課題】
【０００４】
本発明は前記問題点を解消し、少ない密封水でも通液口の密封が維持されて、２室の増減圧を確実に起させるため、固体と液体の分離を効率よく行わせることができる傾斜式サクションスクリーンを提供することをその課題とする。
【課題を解決するための手段】
【０００５】
本発明は、前記課題を解決するため、下記の構成を採用することを特徴とする。
筐体の上部に傾斜スクリーンを張設して固液混合体を流下させ、仕切壁で仕切られる２室には、上記仕切壁に設けた可動部の往復運動により交互的な増減圧を起させ、
室の減圧時に混合体より搾液させ、増圧時に混合体へ通気させるようにした傾斜式サクションフィルターにおいて、
上記筐体の下部に通液口を密封するように密封水を溜め、この密封水の表面を搾出される液体の取入部を除いて遮蔽板により遮蔽させ、
室に生ずる増減圧をこの遮蔽板に受けさせて、密封水の遮蔽される部分には作用させないようにしたこと。
【発明の効果】
【０００６】
請求項１の効果  通水口の密封水が液体の取入部を除いて遮蔽板により遮蔽され、この遮蔽部は可動部の往復運動で２室に増減圧が起きてもその影響を殆ど受けないようにしてあるため、密封水の量を必要最小限にしても通水口の密封が確実に維持される。従って、２室には増減圧を確実に起させて、傾斜スクリーンを流下する固液混合体からの液体の搾出と、固液混合体への通気とを良好に行わせ得るから、固液混合体を固体と液体とに分離する操作を効率よく行わせることができる。
【０００７】
必要最小限の密封水で通水口の密封を行えば、その分だけ２室の容積が増すため増減圧の能力が向上して分離機能の向上に寄与するだけでなく、可動部の全体を空気中で作動させて、各部の作動状態と負荷を均等にして可動部の損傷を防止することができる。
【０００８】
密封水の表面を覆う遮蔽板を液体の取入部を除くように設けたから、固液混合体から搾出された液分は取入部から密封水中へ取り入れられ、その余剰分は排液口より排出されるので、液体を随時排出しながら密封水の適切な水位保持を行わせ得る。
【発明を実施するための最良の形態】
【０００９】
以下に本発明に係る傾斜式サクションスクリーンの実施形態を図面に付いて説明する。
【実施例１】
【００１０】
図１において符号１は、傾斜式サクションスクリーンを示す。この傾斜式サクションスクリーン１は、筐体２の上部に傾斜スクリーン３を張設して、固液混合体を流下させ、仕切壁４で仕切られる室５と室６には、上記仕切壁４に設けた可動部７の往復運動により交番的な増減圧を起させ、室５と室６の減圧時に混合体より液体を搾出させ、増圧時に混合体に空気を通過させるように構成してある。
【００１１】
上記筐体２は、内部へ固液混合体から液体が搾出されるので、仕切壁４の下部に室５と室６を連通させる通液口８を設け、一方の側壁２ａの下部に通液口８が液体で閉じられると、液体を外部へ排出する排液口９を設けて、筐体２の下部に室５と室６を気密的に隔離する密封水１０が溜まるようにしたものであり、この密封水１０は、スクリーンの始動時にはあらかじめ溜めて置く。
【００１２】
上記密封水１０は、その表面に室５と室６に起る増減圧が作用する部分をなるべく少なくする必要がある。このため、室５側では固液混合体から搾出された液体の取入部１１を除く部分に遮蔽板１２を設け、室６側では固液混合体から分離された液体の取入部１３を除く部分に遮蔽板１４設けて、これら遮蔽板１２、１４に室５と室６に起る増減圧を作用させて、密封水１０の遮蔽される部分には作用させないようにする。
【００１３】
上記仕切壁４に設けた可動部７は、ゴム等の柔軟弾性体で形成して仕切壁４に設けた窓孔４ａへ機密的に取付けたダイアフラム１５と、このダイアフラム１５の両側に添えた当板１６とで形成して、筐体２内に軸受１７により水平に支持させた往復軸１８へ取り付ける。そして、上記往復軸１８の一端は筐体２一方の側壁２ａより外側へ突出させる。
【００１４】
上記往復軸１３の筐体２の外側へ突出する部分には、往復軸１３と直交する回転軸１９へ固定した偏心輪２０を連結し、回転軸１９をモータ（図面省略）等で回転させると、往復軸１８が往復運動して可動部７を室５側と室６側とへ交互に変形させるため、室５と室６の容積は相反的に変化して、室５と室６に増減圧を交番的に起させるようにしたものであり、上記回転軸１９はその回転を安定させるためフライホイール２１を取り付けられてある。
【００１５】
上記傾斜スクリーン３は、室５と室６とを覆うように張設して、その上流側に供給箱２２から固液混合体を供給し、傾斜スクリーン３上に平均した層厚で固液混合体を流下させる。そして、流下する過程で室５と室６の減圧時に、固液混合体から液体を筐体２内へ搾出させ、増圧時に、固液混合体に空気を通過させて、固体の攪拌移動と曝気等を行い、傾斜スクリーン３の終端に達するとき、液体を除かれた固体をシュート２３を経て回収容器２４へ送り込ませるようにする。
【００１６】
上記実施例１に示す傾斜式サクションスクリーン１は、筐体２の下部に密封水１０を溜めた状態で、仕切壁４の可動部７を往復軸１８により往復運動させて、傾斜スクリーン３に供給箱２２から固液混合体を流下させると、可動部７の往復運動により室５と室６とが交番的な増減圧を起し、減圧時には固液混合体から液体を搾出し、増圧時には固液混合体に空気を通過させて、固体の吹上げによる攪拌移動、曝気等を行い、傾斜スクリーン３の終端に達するまでに固液混合体から液体を分離して筐体２内へ集め、固体は傾斜スクリーン３の終端からシュート２３を経て回収容器２４へ送り込んで、固液の分離を確実に能率よく行う。
【００１７】
上記の作動が行われるとき、遮蔽板１２、１４は密封水１０の表面を液体の取入部１１、１３を除いて遮蔽し、遮蔽される部分には室５及び室６に起る増減圧を作用させず、液体の取入部１１、１３だけに作用させる。このため、室５と室６と圧力変動が生じても、この変動値と液体の取入部１１、１３の面積の積になる作用力は小さくて、密封水の量が少なくてもその重量以上となることがない。従って、密封水の移動も、これに伴う空気の移動も起らないから、室５と室６においては規定の増減圧が確実に起きて、常に最高の効率で固液の分離を行うことができる。
【００１８】
上記実施例においては、筐体２内に室５と室６を設けた例を示したが、必要に応じて筐体２内に室５と室６とを複数組併設することもできる。しかし、この場合の構造は実施例１に準ずるものであるので、この例についての図面並びに説明は省略する。
【産業上の利用可能性】
【００１９】
固液混合体を傾斜スクリーンを流下させる間に、液体と固体とに分離して分別回収するのに適用できる。
【図面の簡単な説明】
【００２０】
【図１】本発明に係る傾斜式サクションスクリーンの断面図である。
【符号の説明】
【００２１】
１  傾斜式サクションスクリーン
２  筐体
３  傾斜スクリーン
４  仕切壁
５、６  室
７  可動部
８  通液口
１０  密封水
１１、１３  液体の取入部
１２、１４  遮蔽板
【図１】
2005066430.tif 000003